(57)【要約】【課題】動画撮影中にズーム機能を利用しながら良好な画像を連続的に記録することのできる撮像装置を提供する。【解決手段】２つの撮像部２、３を備えたデジタルカメラ１において、動画撮影時に一方の撮像系（例えば撮像部２）から得られる画像データを記録画像として内部のメモリに記録し、表示部１７に表示する。ズームキー１１の操作があると、他方の撮像系（例えば撮像部３）に対してズーム調整を行い、そのときに得られる画像データをズーム調整画像として記録画像に対比させて表示部１７に表示し、切替えキー１２の操作による切替え指示などがあったときに、ズーム調整用として用いられていた他方の撮像系を記録用に切り替える。これにより、動画撮影中にズーム機能を利用しながら良好な画像を連続的に記録することができる。【選択図】    図１
2005072678.tif 000002
【特許請求の範囲】
【請求項１】
同一被写体に対する画像を撮影するための少なくとも２つの撮像手段と、
動画撮影時に前記２つの撮像手段のうちの一方の撮像手段から得られる画像データを記録する記録手段と、
ズーム操作に伴い、前記２つの撮像手段のうちの他方の撮像手段に対してズーム調整を行うズーム調整手段と、
前記一方の撮像手段から得られる画像データを記録画像として表示すると共に、前記他方の撮像手段から得られる画像データをズーム調整画像として前記記録画像と対比させて表示する表示手段と、
所定のタイミングで、前記ズーム調整用に用いられていた他方の撮像手段を記録用に切り替え、その画像データを前記記録手段に記録すると共に記録画像として前記表示手段に表示する切替え制御手段と
を具備したことを特徴とする撮像装置。
【請求項２】
前記表示手段は、ズーム操作時に前記記録画像が表示された画面上に前記ズーム調整画像をウインドウ形式で表示することを特徴とする請求項１記載の撮像装置。
【請求項３】
前記表示手段は、ズーム操作時に前記記録画像と前記ズーム調整画像を同一画面上に並べて表示することを特徴とする請求項１記載の撮像装置。
【請求項４】
前記表示手段は、記録画像とズーム調整画像を視覚的に区別可能な形態で同一画面上に並べて表示することを特徴とする請求項３記載の撮像装置。
【請求項５】
前記切替え制御手段は、特定のスイッチの操作による明示的な切替え指示があったときに、前記ズーム調整用として用いられていた他方の撮像手段を記録用に切り替えることを特徴とする請求項１記載の撮像装置。
【請求項６】
前記切替え制御手段は、ズーム操作が解除されたときのタイミングで、前記ズーム調整用として用いられていた他方の撮像手段を記録用に切り替えることを特徴とする請求項１記載の撮像装置。
【請求項７】
同一被写体に対する画像を撮影するための少なくとも２つの撮像系を備えた撮像装置に用いられるズーム撮影方法であって、
動画撮影時に前記２つの撮像手段のうちの一方の撮像系から得られる画像データをメモリに記録するステップと、
ズーム操作に伴い、前記２つの撮像手段のうちの他方の撮像系に対してズーム調整を行うステップと、
前記一方の撮像系から得られる画像データを記録画像として表示すると共に、前記他方の撮像系から得られる画像データをズーム調整画像として前記記録画像と対比させて所定の画面上に表示するステップと、
所定のタイミングで、前記ズーム調整用に用いられていた他方の撮像系を記録用に切り替え、その画像データを前記メモリに記録すると共に記録画像として前記所定の画面に表示するステップと
を備えたことを特徴とするズーム撮影方法。
【請求項８】
同一被写体に対する画像を撮影するための少なくとも２つの撮像系を備えた撮像装置に搭載されたコンピュータによって実行されるプログラムであって、
前記コンピュータに、
動画撮影時に前記２つの撮像手段のうちの一方の撮像系から得られる画像データをメモリに記録する機能と、
ズーム操作に伴い、前記２つの撮像手段のうちの他方の撮像系に対してズーム調整を行う機能と、
前記一方の撮像系から得られる画像データを記録画像として表示すると共に、前記他方の撮像系から得られる画像データをズーム調整画像として前記記録画像と対比させて所定の画面上に表示する機能と、
所定のタイミングで、前記ズーム調整用に用いられていた他方の撮像系を記録用に切り替え、その画像データを前記メモリに記録すると共に記録画像として前記所定の画面に表示する機能と
を実現させるためのプログラム。
【発明の詳細な説明】
【０００１】
【発明の属する技術分野】
本発明は、デジタルカメラ、ビデオカメラ等の撮像装置に係り、特にズーム機能を備えて動画像を連続的に記録する場合に用いて好適な撮像装置と、この撮像装置に用いられるズーム撮影方法及びプログラムに関する。
【０００２】
【従来の技術】
従来、デジタルカメラ、ビデオカメラ等の撮像装置では、光学的あるいは電気的に被写体に対する像の大きさを可変可能とするズーム機能を備えたものが知られている（例えば、特許文献１参照）。
【０００３】
一方、この種の撮像装置では、２つの撮像系を備えたカメラが知られている（例えば、特許文献２参照）。これは、２眼カメラあるいはツインカメラなどと呼ばれるものであって、光学系レンズ、撮像素子等から構成される撮像系が２系統設けられており、この２つの撮像系を用いて例えば立体画像やパノラマ画像などを作成することができる。特許文献２では、このような２眼カメラにおいて、２つの撮像系から得られる画像の切り出し領域をズーム量に応じて決定する手法について開示されている。
【０００４】
【特許文献１】
特開平５−２６８５０４号公報
【０００５】
【特許文献２】
特開２００２−２２３３８４号公報
【０００６】
【発明が解決しようとする課題】
上述した特許文献１などに開示されている撮像装置において、ズーム機能を利用しながら動画の撮影（記録）を行う場合には、その撮影中（記録動作中）にズームするか、あるいは、ズームした後に記録を行うしかない。
【０００７】
しかしながら、撮影中にズーム操作を行うと、ズーム操作に伴って画角が変化した画像がそのまま記録されてしまうことにより、大変見にくい動画を記録することになってしまったり、ぶれが生じることにより、揺らぎなどのある見栄えの悪い画像をそのまま記録してしまうことになる。
【０００８】
これに対し、先にズームしてから記録を行う方法であれば、ズーム操作に伴うぶれの影響は回避できるものの、シャッターチャンスを逃してしまい、大切なシーンを記録できず、また、記録中に画角を変えて、例えば被写体を大きくズームアップして記録したいような場合等には、いったん記録をストップさせてズーム操作を行った後に改めて撮影を続けるなどの操作を行わなければならないなどの問題がある。
【０００９】
また、前記特許文献２のような２眼カメラでは、通常、撮影時には２つの撮像部が同時駆動され、ズームも両方の撮像部に対して行われる。したがって、上述したように、そのズーム操作中にぶれが発生し、揺らぎなどのある見栄えの悪い画像を記録してしまうことになる。
【００１０】
本発明はこのような点に鑑みなされたもので、動画撮影中にズーム機能を利用しながら良好な画像を連続的に記録することのできる撮像装置、ズーム撮影方法及びプログラムを提供することを目的とする。
【００１１】
【課題を解決するための手段】
本発明の請求項１に係る撮像装置は、同一被写体に対する画像を撮影するための少なくとも２つの撮像手段と、動画撮影時に前記２つの撮像手段のうちの一方の撮像手段から得られる画像データを記録する記録手段と、ズーム操作に伴い、前記２つの撮像手段のうちの他方の撮像手段に対してズーム調整を行うズーム調整手段と、前記一方の撮像手段から得られる画像データを記録画像として表示すると共に、前記他方の撮像手段から得られる画像データをズーム調整画像として前記記録画像と対比させて表示する表示手段と、所定のタイミングで、前記ズーム調整用に用いられていた他方の撮像手段を記録用に切り替え、その画像データを前記記録手段に記録すると共に記録画像として前記表示手段に表示する切替え制御手段とを具備して構成される。
【００１２】
このような構成によれば、動画撮影時に一方の撮像手段から得られる画像データが記録画像として記録、表示される。そして、ズーム操作があると、他方の撮像手段に対してズーム調整がなされ、そのときに得られる画像データがズーム調整画像として前記記録画像と対比させて表示される。また、所定のタイミングで、前記ズーム調整用に用いられていた他方の撮像手段が記録用に切り替えられ、その画像データの記録、表示が行われる。
【００１３】
このように、２つの撮像手段を用いて、一方を記録用、他方をズーム調整用として切り替えることで、ズーム操作中に不安定な画像を記録してしまうことを回避して、常に良好な画像を連続して記録することができる。
【００１４】
また、本発明の請求項２は、前記請求項１記載の撮像装置において、前記表示手段は、ズーム操作時に前記記録画像が表示された画面上に前記ズーム調整画像をウインドウ形式で表示することを特徴とする。
【００１５】
このような構成によれば、ズーム操作中に一方の撮像手段から得られる記録画像と他方の撮像手段から得られるズーム調整画像を同一画面上で確認することができる。
【００１６】
また、本発明の請求項３は、前記請求項１記載の撮像装置において、前記表示手段は、ズーム操作時に前記記録画像と前記ズーム調整画像を同一画面上に並べて表示することを特徴とする。
【００１７】
このような構成によれば、ズーム操作中に一方の撮像手段から得られる記録画像と他方の撮像手段から得られるズーム調整画像を同一画面上で並べて確認することができる。
【００１８】
また、本発明の請求項４は、前記請求項１記載の撮像装置において、前記表示手段は、記録画像とズーム調整画像を視覚的に区別可能な形態で同一画面上に並べて表示することを特徴とする。
【００１９】
このような構成によれば、記録画像とズーム調整画像が視覚的に区別可能な形態で表示されるので、両画像を並べて表示した場合でも、どちらに記録画像が表示されているのかを一目で確認できる。なお、視覚的に区別可能な形態とは、例えば記録画像に色付きの枠を付けたり、記録画像をカラー表示、ズーム調整画像を白黒表示するなどである。
【００２０】
また、本発明の請求項５は、前記請求項１記載の撮像装置において、前記切替え制御手段は、特定のスイッチの操作による明示的な切替え指示があったときに、前記ズーム調整用として用いられていた他方の撮像手段を記録用に切り替えることを特徴とする。
【００２１】
このような構成によれば、ズーム操作により所望の画角サイズが得られたときに、スイッチ操作によって前記ズーム調整用として用いられていた他方の撮像手段を記録用に切り替えることができる。
【００２２】
また、本発明の請求項６は、前記請求項１記載の撮像装置において、前記切替え制御手段は、ズーム操作が解除されたときのタイミングで、前記ズーム調整用として用いられていた他方の撮像手段を記録用に切り替えることを特徴とする。
【００２３】
このような構成によれば、ズーム操作により所望の画角サイズが得られたときに、ズーム解除操作に連動させて前記ズーム調整用として用いられていた他方の撮像手段を記録用に切り替えることができる。
【００２４】
【発明の実施の形態】
以下、図面を参照して本発明の実施形態を説明する。
【００２５】
図１は本発明の撮像装置としてデジタルカメラを例にした場合の外観構成を示すものであり、図１（Ａ）が主に前面の、図１（Ｂ）が主に背面の構成を示す斜視図である。
【００２６】
このデジタルカメラ１は、略矩形の薄板状ボディ（カメラ本体）の前面に２つの撮像部２、３を備える。この２つの撮像部２、３は、それぞれに光学系レンズ、撮像素子などからなり、同一被写体に対する画像を撮影する。また、この２つの撮像部２、３は、撮像距離の誤差を極力少なくするべく互いに近接して設けられていることが望ましい。なお、本実施形態では、撮像部２がカメラ本体の一端側上部に設けられており、この撮像部２の下方に設けられているが、これらの配置については特に限定されるものではなく、例えば撮像部２と撮像部３が左右に配置されていても良い。
【００２７】
静止画撮影時には、撮像部２、３のうちの予め決められた一方の撮像部（ここでは撮像部２とする）のみが使用される。一方、動画撮影時には、撮像部２、３の２つが用いられる。この場合、後述するように一方の撮像部が記録用、他方の撮像部がズーム調整用として用いられる。
【００２８】
また、このデジタルカメラ１のボディの前面には、光学ファインダ窓４、セルフタイマランプ５、ストロボ発光部６、及びラバーグリップ７などが設けられており、上面の（ユーザにとって）右端側には電源キー８及びシャッタキー９が設けられている。
【００２９】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。電源キー８は、電源のオン／オフ毎に操作するキーであり、シャッタキー９は、撮影モード時に撮影タイミングを指示する。
【００３０】
また、デジタルカメラ１の背面には、モードスイッチ（ＳＷ）１０、動画キー１０ａ、ズームキー１１、切替えキー１２、メニューキー１３、十字キー１４、セットキー１４ａ、光学ファインダ１５、ストロボチャージランプ１６及び表示部１７などが設けられている。
【００３１】
モードスイッチ１０は、例えばスライドキースイッチにより構成され、基本モードである記録モード「Ｒ」と再生モード「Ｐ」とを切換える。
【００３２】
動画キー１０ａは、動画撮影を指示するための操作キーである。この動画キー１０ａは、例えばボタンスイッチからなり、１回押すと「記録開始」、続いて押すと「記録停止」となるように構成されている。
【００３３】
ズームキー１１は、静止画または動画の撮影時にズーム操作（ズームイン／ズームアウト）を行うための操作キーである。切替えキー１２は、動画撮影時に前記２つの撮像部２、３に対する記録用／ズーム調整用の切り替えを明示的に指示するための操作キーである。
【００３４】
メニューキー１３は、各種メニュー項目等を選択させる際に操作する。十字キー１４は、上下左右各方向へのカーソル移動用のキーが一体に形成されたものであり、表示されているメニュー項目等を移動させる際に操作する。セットキー１４ａは、前記十字キー１４の中心位置に配置され、その時点で選択されているメニュー項目内容等を設定するために操作する。
【００３５】
ストロボチャージランプ１６は、光学ファインダ１５に近接して配設されたＬＥＤランプでなり、このデジタルカメラ１のユーザが光学ファインダ１５を覗いている場合と表示部１７を見ている場合のいずれであってもストロボのチャージ状態等をユーザに視認させる。
【００３６】
表示部１７は、バックライト付きのカラー液晶パネルで構成されるもので、撮影時には電子ファインダとしてスルー画像のモニタ表示を行う一方で、再生時には選択した画像等を再生表示する。また、本実施形態において、動画の撮影時には、表示部１７に前記２つの撮像部２、３のそれぞれから得られる記録画像とズーム調整画像の両方が表示される。この動画撮影時における表示形態については、後に図４を参照して説明する。
【００３７】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられている。
【００３８】
次に、デジタルカメラ１の電子回路の構成について説明する。
【００３９】
図２はデジタルカメラ１の回路構成を示すブロック図、図３はデジタルカメラ１に設けられた撮像部２の回路構成を示すブロック図である。
【００４０】
上述したように、デジタルカメラ１には２つの撮像部２、３が設けられており、これらはマイクロコンピュータである制御部３２に接続されている。図３に示すように、撮像部２は、モータ（Ｍ）２１、撮影レンズ、ズームレンズ、フォーカスレンズなどのレンズ光学系２２、撮像素子であるＣＣＤ２３、タイミング発生器（ＴＧ）２４、垂直ドライバ２５、サンプルホールド回路（Ｓ／Ｄ）２６、Ａ／Ｄ変換器２７、カラープロセス回路２８から構成される。
【００４１】
基本モードである記録モード（撮影時）においては、モータ（Ｍ）２１の駆動により合焦位置や絞り位置が移動される、前記撮影レンズ２を構成するレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００４２】
この光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換され、カラープロセス回路２８で画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４３】
なお、撮像部３についても前記同様の構成であり、撮像部２と同じ被写体を対象として、その画像を撮影するように構成されている。
【００４４】
また、これらの撮像部２、３の後段に設けられているＤＭＡコントローラ２９、ＤＲＡＭインタフェース（Ｉ／Ｆ）３０、ＤＲＡＭ３１は、撮像部２、３から出力されるデータを２系統で処理可能な構成であるものとする。
【００４５】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書き込み、ＤＲＡＭインタフェース（Ｉ／Ｆ）３０を介してバッファメモリとして使用されるＤＲＡＭ３１にＤＭＡ転送を行う。
【００４６】
制御部３２は、ＣＰＵと、このＣＰＵで実行される動作プログラムを固定的に記憶したＲＯＭと、ワークメモリとして使用されるＲＡＭ等を含む１チップのマイクロコンピュータにより構成される。この制御部３２は、デジタルカメラ１全体の制御動作を司るもので、前記輝度及び色差信号のＤＲＡＭ３１へのＤＭＡ転送終了後に、この輝度及び色差信号をＤＲＡＭインタフェース３０を介してＤＲＡＭ３１より読み出し、ＶＲＡＭコントローラ３３を介してＶＲＡＭ３４に書き込む。
【００４７】
デジタルビデオエンコーダ３５は、前記輝度及び色差信号をＶＲＡＭコントローラ３３を介してＶＲＡＭ３４より定期的に読み出し、これらのデータを元にビデオ信号を発生して表示部１７に出力する。
【００４８】
この表示部１７は、上述した如く記録モード時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００４９】
このように表示部１７にその時点での画像がモニタ画像としてリアルタイムに表示されている状態で、静止画撮影を行いたいタイミングでキー入力部３６を構成する前記シャッタキー９を操作すると、トリガ信号を発生する。
【００５０】
制御部３２は、このトリガ信号に応じてその時点でＣＣＤ２３から取り込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００５１】
この記録保存の状態では、制御部３２がＤＲＡＭ３１に書き込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出し、ＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路やＭＰＥＧ（Ｍｏｖｉｎｇ  ＰｉｃｔｕｒｅＥｘｐｅｒｔｓ  Ｇｒｏｕｐ）回路などを含む画像処理回路３７に書き込み、この画像処理回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５２】
そして、得た符号データを１画像のデータファイルとして画像処理回路３７から読み出し、このデジタルカメラ１の記録媒体として着脱自在に装着されるメモリカード３８か、またはこのデジタルカメラ１に固定的に内蔵される内蔵メモリ３９のいずれか一方に書き込む。
【００５３】
そして、１フレーム分の輝度及び色差信号の圧縮処理及びメモリカード３８または内蔵メモリ３９への全圧縮データの書込み終了に伴なって、制御部３２はＣＣＤ２３からＤＲＡＭ３１への経路を再び起動する。
【００５４】
また、制御部３２には、さらにＵＳＢインタフェース（Ｉ／Ｆ）４０、ストロボ駆動部４１が接続される。
【００５５】
ＵＳＢインタフェース４１は、ＵＳＢコネクタを介して有線接続されるパーソナルコンピュータ等の他の情報端末装置との間で画像データその他の送受を行う場合の通信制御を行う。
【００５６】
ストロボ駆動部４２は、静止画像撮影時に図示しないストロボ用の大容量コンデンサを充電した上で、制御部３２からの制御に基づいて前記ストロボ発光部６を閃光駆動する。
【００５７】
なお、前記キー入力部３６は、上述したシャッタキー９の他に、前記電源キー８、モードスイッチ１０、動画キー１０ａ、ズームキー１１、切替えキー１２、メニューキー１３、十字キー１４等から構成され、それらのキー操作に伴なう信号は直接制御部３２へ送出される。
【００５８】
また、静止画像ではなく動画像の撮影時においては、動画キー１０ａを押下すると、再度動画キー１０ａを押下するまでの間、動画の記録動作が連続的に行われる。この場合、動画データは画像処理回路３７において、例えばＭＰＥＧ方式により圧縮処理され、時間的に連続した動画ファイルとしてメモリカード３８または内蔵メモリ３９に記録される。
【００５９】
また、基本モードである再生モード時には、制御部３２がメモリカード３８または内蔵メモリ３９に記録されている画像データを選択的に読み出し、画像処理回路３７により、それぞれの画像データに応じた方法で圧縮されている画像データを伸長する。そして、その伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読み出してビデオ信号を発生し、前記表示部１７で再生出力させる。
【００６０】
選択した画像データが静止画像ではなく動画像であった場合には、前記ＭＰＥＧ方式で圧縮したときと逆の手順で動画像ファイルを復号処理して前記表示部１７に再生表示する。
【００６１】
このような構成において、上述したようにデジタルカメラ１の動画撮影時には、前記撮像部２、３の２つが併用され、一方を記録用、他方をズーム調整用として適宜切り替えながら動画撮影が連続的に行われる。
【００６２】
この場合、例えば撮像部２が記録用、撮像部３がズーム調整用として設定されているものとすると、ズームキー１１が操作されたときに、撮像部３に対してズーム調整が行われる。このとき、撮像部２は固定されている。なお、ズーム調整方法には、光学的に被写体像の大きさを変更する光学式ズームと、電気的に被写体像の大きさを変更するデジタルズームがあるが、そのどちらの方法を用いても良い。
【００６３】
ここで、図４に示すように、撮像部２により得られた画像データは記録画像として表示部１７の第１の表示画面１７ａ（画面Ａ）に表示され、撮像部３により得られた画像データはズーム調整画像として表示部１７の第２の表示画面１７ｂ（画面Ｂ）に表示される。第１の表示画面１７ａは表示部１７の画面全体に対応しており、第２の表示画面１７ｂは前記第１の表示画面１７ａ内の一部に設定され、ズーム調整画像をウインドウ形式で記録画像と対比可能に表示するように構成されている。
【００６４】
また、切替えキー１２の操作により記録対象切替え指示があると、ズーム調整用であった撮像部３が記録用、記録用であった撮像部２がズーム調整用に切り替えられる。この切替えに伴い、第２の表示画面１７ｂ（画面Ｂ）に表示されていた撮像部３の画像データが記録画像として第１の表示画面１７ａ（画面Ａ）に拡大表示される。なお、後述するように（図６参照）、第２の表示画面１７ｂ（画面Ｂ）はズーム操作があったときに表示され、前記切替えキー１２の押下により非表示となる。この状態で、次にズーム操作があるまでは第１の表示画面１７ａ（画面Ａ）のみが表示される。
【００６５】
さらにまた、記録用メモリ（メモリカード３８または内蔵メモリ３９）には、第１の表示画面１７ａに表示されている画像データつまり記録用として設定されている撮像部から得られる画像データが記録される。
【００６６】
次に、本実施形態におけるデジタルカメラ１の処理動作について説明する。なお、以下に示す各処理は、基本的にデジタルカメラ１に搭載されたマイクロコンピュータである制御部３２がＲＯＭなどに記憶されたプログラムに基づいて実行するものである。
【００６７】
図５はデジタルカメラ１における動画撮影時の処理動作を示すフローチャートである。
【００６８】
このデジタルカメラ１では、モードスイッチ１０の操作により記録モード「Ｒ」を設定した状態で、動画キー１０ａを押下することで、動画の撮影（記録）が行われる（ステップＡ１１、Ａ１２）。この場合、デジタルカメラ１に備えられた２つの撮像部２、３のうちの一方の撮像部が記録用として用いられ、その撮像部を通じて得られる画像データが表示部１７の第１の表示画面１７ａ（画面Ａ）に通常サイズで表示されると共に、所定のメモリに記録される（ステップＡ１３）。
【００６９】
なお、初期状態では、撮像部２が記録用として設定されているものとする。また、前記所定のメモリとは、図１の構成ではメモリカード３８または内蔵メモリ３９のことであるが、ここでは内蔵メモリ３９に画像データの記録を行うものとする。
【００７０】
ここで、動画撮影中にズームキー１１が操作されると（ステップＡ１４のＹｅｓ）、記録していない方の撮像系つまり撮像部３に対してズーム調整が行われ、その撮像部３によって撮像された画像のサイズがズームキー１１の操作に応じて変更される（ステップＡ１５）。なお、このズーム調整は、光学式ズームによる方法でもデジタルズームによる方法でも良い。光学式ズームであれば、ズームレンズが図示せぬ移動機構により光軸上を移動して、撮影画像のサイズが物理的に変更される。デジタルズームでは、画像処理により撮影画像のサイズが変更される。
【００７１】
また、前記ズーム調整により撮影画像のサイズが変更された際、そのときのズーム量に応じて当該撮影画像に対する切り出し位置の調整（画角調整）が行われる（ステップＡ１６）。これは、撮像部２と撮像部３では被写体の結像距離が異なるため、その差違を考慮して撮影画像の中心位置を切り出すように補正する処理を行うことである。なお、この切り出し位置の調整方法は、例えば特開２００２−２２３３８４号公報などに開示されている２眼カメラなどで周知の方法であるため、その詳しい説明は省略するものとする。
【００７２】
このようにして、撮像部３によって得られた撮影画像が切り出されると、その切り出された撮影画像はズーム調整画像として表示部１７の第２の表示画面１７ｂ（画面Ｂ）にウインドウ形式で縮小サイズで表示される（ステップＡ１７）。このとき、表示部１７の第１の表示画面１７ａには、撮像部２によって得られた撮影画像が記録画像として表示された状態にあり、この記録画像と対比させて前記ズーム操作により撮像部３を通じて得られる撮影画像をズーム調整後の画像として確認することができる。
【００７３】
また、切替えキー１２の操作により記録対象の切替え指示があると（ステップＡ１８のＹｅｓ）、ズーム調整用として用いられていた撮像部３が記録用に切り替えられる（ステップＡ１９）。この切替えに伴い、表示部１７の第２の表示画面１７ｂ（画面Ｂ）が非表示状態となり、記録用に切り替えられた撮像部３の画像データが記録画像として表示部１７の第１の表示画面１７ａに通常サイズで表示され、また、その画像データが内蔵メモリ３９に記録される（ステップＡ２０）。
【００７４】
以後、動画撮影が終了するまでの間、前記同様の動作が繰り返される（ステップＡ２１）。この場合、撮像部３が記録用に切り替えられた後にズーム操作があれば、撮像部２がズーム調整用として用いられ、その撮像部２に対してズーム調整が行われることになる。
【００７５】
図６にズーム操作を伴う動画撮影時のビューファインダ（表示部１７）の表示変化を示す。
【００７６】
動画撮影を開始した場合に、ズーム操作を行う前までは一方の撮像系（例えば撮像部２）から得られる画像が撮影時にビューファインダとして機能している表示部１７の第１の表示画面１７ａに通常サイズで表示される。この第１の表示画面１７ａに表示される画像は記録画像として所定のメモリ（例えば内蔵メモリ３９）に記録される。
【００７７】
ここで、動画撮影中にズーム操作を行うと、他方の撮像系（例えば撮像部２）から得られる画像が表示部１７の第２の表示画面１７ｂにウインドウ形式で縮小サイズで表示される。この表示画面１７ｂに表示される画像はズーム操作を反映させた画像であり、メモリには記録されていない。ユーザは同一画面上でこのズーム調整画像を記録画像と対比させて見ることでき、所望の画角が得られた時点で切替えキー１２を押下操作すると、当該撮像系が記録用に切り替わり、前記第２の表示画面１７ｂに表示されていた画像が今度は記録画像として第１の表示画面１７ａに表示されることになる。
【００７８】
図７にこのときの動画像の記録状態を従来のズーム方式を用いた場合と比較して示す。図７（Ａ）は本発明のズーム方式を用いた場合、同図（Ｂ）は従来のズーム方式を用いた場合である。
【００７９】
上述したように、ズーム調整は記録用とは別の撮像系に対してなされ、そのときに得られる画像はメモリには記録されず、所定のタイミングつまり前記実施形態では切替えキー１２が押下操作されたときに、記録画像として記録されることになる。したがって、従来方式のように、ズーム操作中における不安定な画像をメモリに記録してしまうことを回避して、あたかも瞬間的にズームが行われたかのように一瞬にして画角が変更された画像を記録することができ、常に良好な画像を連続してメモリに記録することができる。
【００８０】
また、ズーム操作中の画像を記録画像と共に同じ画面上でチェックできるため、所望の画角サイズになった時点で速やかに切り替えてメモリに記録することができるる。
【００８１】
図８はデジタルカメラ１における表示部１７の記録画像とズーム調整画像の別の表示画面構成を示す図である。
【００８２】
前記実施形態では、ズーム操作中に他の撮像系から得られる画像（ズーム調整画像）をウインドウ形式で第２の表示画面１７ｂに縮小サイズで表示するようにしたが、図８に示すように、表示部１７に第１の表示画面１７ａと第２の表示画面１７ｂを左右に併設して、第１の表示画面１７ａに記録画像を表示した状態で、ズーム操作時にその隣の第２の表示画面１７ｂにズーム調整画像を表示する構成であっても良い。
【００８３】
この場合、例えば記録画像を表示している方に赤色などの色付きの枠を付けたり、その近くに点灯ランプを設置したり、あるいは、ズーム調整画像をグレー表示したり、半透明で表示したり、また、記録画像だけをカラー表示し、ズーム調整画像は白黒表示にするなど、記録画像とズーム調整画像を視覚的に区別できるような形態にして表示することが好ましい。
【００８４】
図９はデジタルカメラ１における動画撮影時の他の処理動作を示すフローチャートである。
【００８５】
前記実施形態では、切替えキー１２の操作により切替え指示が明示的にあったときに、そのときまでズーム調整用に用いられていた撮像系を記録用に切り替えるようにしたが（図５のステップＡ１８参照）、図９に示すように、ズームキー１１の操作に連動させて切り替えることもできる。なお、図中のステップＢ１１〜Ｂ１７までの処理は、図５のステップＡ１１〜Ａ１７までの処理と同様である。
【００８６】
すなわち、一方の撮像系（例えば撮像部２）を用いて動画を撮影している最中に、ユーザがズームキー１１を操作すると、他方の撮像系（例えば撮像部３）に対してズーム調整がなされ、そのときに得られる画像がズーム調整画像として現在撮影中の記録画像と対比させて表示部１７に表示される（ステップＢ１１〜Ｂ１７）。
【００８７】
ここで、ユーザがズームキー１１を離したとき、つまり、ズーム操作の解除信号が入力されたときに（ステップＢ１８のＹｅｓ）、ズーム調整用として用いられていた撮像系を記録用に切り替えるようにする（ステップＢ１９）。この切替えに伴い、表示部１７の第２の表示画面１７ｂ（画面Ｂ）が非表示状態となり、記録用に切り替えられた撮像系からの画像データが記録画像として表示されてメモリに連続的に記録される（ステップＢ２０、Ｂ２１）。
【００８８】
このように、ズーム操作に連動させて切替え制御を行うようにすれば、切替えキー１２のような特別なスイッチを不要としてコストを下げることができる。また、ズーム操作により所望の画角サイズが得られたときに自動的に切り替えることができるため、切替えキー１２の操作に伴うブレの発生を防止して常に良好な画像を連続して記録することができる。
【００８９】
なお、前記実施形態では、デジタルカメラを例にして説明したが、例えばカメラ付き携帯電話など、カメラ機能を備えた電子機器であれば、その全てに本発明を適用することができる。
【００９０】
また、撮像系は２つに限るものではなく、さらに多数の撮像系を備えていても良い。この場合、例えば３つの撮像系を持つものであれば、そのうちの１つを通常使用することで、ズーム操作をそのまま反映させた画像を記録することができる。
【００９１】
要するに、本発明は前記実施形態に限定されるものではなく、実施段階ではその要旨を逸脱しない範囲で種々に変形することが可能である。更に、前記各実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【００９２】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【００９３】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ（Ａｄｖａｎｃｅｄ  Ｏｐｔｉｃａｌ  Ｄｉｓｃ）などの青色レーザを用いた次世代光ディスク、赤色レーザを用いるＨＤ−ＤＶＤ９、青紫色レーザを用いるＢｌｕｅ  Ｌａｓｅｒ  ＤＶＤなど、今後開発される種々の大容量記録媒体を用いて本発明を実施することが可能である。
【００９４】
【発明の効果】
以上詳記したように本発明によれば、２つの撮像系を備えて、動画撮影時に一方の撮像系から得られる画像データを記録画像として記録しながら、他方の撮像系に対してズーム調整を行い、所定のタイミングでズーム調整用として用いられていた他方の撮像系を記録用に切り替えることで、動画撮影中にズーム機能を利用しながら良好な画像を連続的に記録することができる。
【００９５】
また、ズーム操作中に得られるズーム調整画像を記録画像と同一画面上に表示することで、ズーム操作による画像の変化を確認しながら、所望の画角サイズになった時点で速やかに切り替えることができる。この場合、ズーム操作が解除されたときのタイミングで自動的に切り替えるようにすれば、切替えのための特別なスイッチの設置を不要とし、また、スイッチ操作に伴うブレの発生を防止して常に良好な画像を連続して記録することができる。
【図面の簡単な説明】
【図１】本発明の撮像装置としてデジタルカメラを例にした場合の外観構成を示す斜視図。
【図２】前記デジタルカメラの回路構成を示すブロック図。
【図３】前記デジタルカメラに設けられた撮像部の回路構成を示すブロック図。
【図４】前記デジタルカメラにおける表示部の記録画像とズーム調整画像の表示画面構成を示す図。
【図５】前記デジタルカメラにおける動画撮影時の処理動作を説明するためのフローチャート。
【図６】前記デジタルカメラにおけるズーム操作を伴う動画撮影時のビューファインダの表示変化を示す図。
【図７】前記デジタルカメラにおける動画像の記録状態を従来のズーム方式を用いた場合と比較して示す図。
【図８】前記デジタルカメラにおける表示部の記録画像とズーム調整画像の別の表示画面構成を示す図。
【図９】前記デジタルカメラにおける動画撮影時の他の処理動作を説明するためのフローチャート。
【符号の説明】
１…デジタルカメラ
２，３…撮像部
４…光学ファインダ窓
５…セルフタイマランプ
６…ストロボ発光部
７…ラバーグリップ
８…電源キー
９…シャッタキー
１０…モードスイッチ（ＳＷ）
１１…ズームキー
１２…切替えキー
１３…メニューキー
１４…十字キー
１４ａ…セットキー
１５…光学ファインダ
１６…ストロボチャージランプ
１７…表示部
１７ａ…第１の表示画面
１７ｂ…第２の表示画面
【図１】
2005072678.tif 000003
【図２】
2005072678.tif 000004
【図３】
2005072678.tif 000005
【図４】
2005072678.tif 000006
【図５】
2005072678.tif 000007
【図６】
2005072678.tif 000008
【図７】
2005072678.tif 000009
【図８】
2005072678.tif 000010
【図９】
2005072678.tif 000011